(57)【特許請求の範囲】
【請求項１】
カウンターとこのカウンターを左右で支持する側板部とを具備した調理台と該カウンターの下方の床面に配設される底板部とからなるキッチンユニットであって、該底板部は後桟と該後桟より幅広の前桟とによって支持される板体とからなり、上記各側板部は、その前側下端を切欠いて切欠き部が設けられるとともに、この切欠き部に上記前桟の左右の出張り部が係止部として着脱自在に係合可能とされたキッチンユニット。
【請求項２】
上記側板部に装着された底板部の板体の前側下方が蹴込み空間とされた請求項１に記載のキッチンユニット。
【請求項３】
上記板体が化粧ボードからなる請求項１に記載のキッチンユニット。
【発明の詳細な説明】
【技術分野】
【０００１】
本発明は、キッチンユニットに関する。さらに詳しくは、車いすに乗ったまま使用できるとともに、健常者も使用可能なキッチンユニットの構造に関する。
【背景技術】
【０００２】
従来、高齢者や足の不自由な人が車いすに乗って、あるいは椅子に座ったまま、調理作業ができるように、カウンター本体下面側の両端部で略Ｌ字状の支持材を介して壁にカウンター本体を取付け、シンク及び調理機器の高さと略同一の縦幅を有する幕板をカウンター本体の端部周縁に垂設してなり、車いすに乗ったままでもカウンターの端から端まで自由に使うことのできるキッチンカウンターが提案されている。
【特許文献１】特開平１１−１２７９９１号公報（第１〜３頁、第１図）
【発明の開示】
【発明が解決しようとする課題】
【０００３】
上記特許文献１に記載のキッチンカウンターは、カウンター下方の床面は、スムースに車いすが入れるようにフラットにされている。そして、カウンター下方の空間は車いすが自由に移動できるための移動スペースとされている。しかしながら、健常者が使用する場合には、上記カウンター下方の空間はデッドスペースになるという問題がある。
【０００４】
そこで本発明は、車いすに乗って調理するときは、車いすの移動スペースとし、健常者が使用するときは、上記空間を収納スペースとして有効に利用するためのキッチンユニットの構造を提供することを、その課題とする。
【課題を解決するための手段】
【０００５】
上記課題を解決するために、本発明においては、つぎのような技術的手段を講じている。すなわち、請求項１に記載の発明によれば、カウンターとこのカウンターを左右で支持する側板部とを具備した調理台と該カウンターの下方の床面に配設される底板部とからなるキッチンユニットであって、該底板部は後桟と該後桟より幅広の前桟とによって支持される板体とからなり、上記各側板部は、その前側下端を切欠いて切欠き部が設けられるとともに、この切欠き部に上記前桟の左右の出張り部が係止部として着脱自在に係合可能とされたキッチンユニットが提供される。
【０００６】
請求項２に記載のキッチンユニットは、請求項１に記載の発明に加えて、上記側板部に装着された底板部の板体の前側下方が蹴込み空間とされる。このとき、上記切欠き部の切欠き深さは前桟の木口の幅よりも深くすることが好ましい。
【０００７】
請求項３に記載のキッチンユニットは、請求項１に記載の発明に加えて、上記板体が化粧ボードからなることが好ましい。化粧ボードとしては、とくに限定されず、例えば、メラミン化粧ボード等が用いられる。
【発明の効果】
【０００８】
請求項１に記載の発明にかかるキッチンユニットは上記のとおりであり、カウンターと左右側板部とからなる調理台のカウンター下方の空間は車いすの移動空間とされているため、高齢者や足の不自由な人が車いすに乗ったまま、カウンターの端から端まで自由に移動して調理作業をすることができる。また、底板部がカウンターの下方の床面上で側板部に着脱自在に装着可能とされているため、健常者が上記キッチンユニットを使用するときは、底板部を装着し、該底板部に各種の調理用品を載置、収納し、カウンター下方の空間を収納スペースとして、有効に利用することができる。
【０００９】
請求項２に記載のキッチンユニットは上記のとおりであり、請求項１のキッチンユニットの有する効果に加え、上記側板部に装着された板体の前側下方に蹴込み空間が形成されているため、健常者が使用するとき、つま先が前桟に当たることなく快適に調理作業を行うことができる。
【００１０】
請求項３に記載のキッチンユニットは上記のとおりであり、請求項１のキッチンユニットの有する効果に加え、上記板体が化粧ボードから構成されているため、外観的に優れたものとすることができる。
【発明を実施するための最良の形態】
【００１１】
以下、本発明の実施形態について図面を参照して詳細に説明する。図１は、調理台Ａと底板部Ｂとからなる本発明のキッチンユニットの構成を示す斜視図である。図１に示すように、上記調理台Ａは調理機器７とシンク８を備えたカウンター２とカウンター２を左右で支持する側板部１とからなり、各側板部１の前側下端には切欠き部１１が設けられている。また、左右の側板部１どうしは背板９によって連結され、補強されている。一方、底板部Ｂは板体３と後桟５と、この後桟５よりも幅広に設けられた前桟４とからなり、前桟４の左右端部は出張って設けられ、上記切欠き部１１に係止する係止部４１とされている。この係止部４１は上記切欠き部１１に着脱自在に係合し、かくして底板部Ｂはカウンター２の下方の床面上で側板部１に着脱自在に装着することができる。
【００１２】
上記キッチンユニットは、車いすに乗って調理作業を行うときには図２に示すように調理台Ａが単独で用いられ、カウンター２の下方の床面に車いすを乗り入れ、左右に自由に移動して調理機器７やシンク８を使用して調理作業を行うことができる。一方、健常者が上記調理台Ａを用いる場合、カウンター２の下方の空間はデッドスペースとなるため、カウンター２の下方の床面上に底板部Ｂを配設し、板体３に調理器具等を載置して収納スペースとして利用する。
【００１３】
図３は上記のようにしてカウンター２の下方の床面に底板部Ｂを配設し、健常者が本発明のキッチンユニットを使用する状態を示す斜視図である。図４は、図３におけるＸ−Ｘ線に沿う断面図である。切欠き部１１は、前桟４の木口の幅よりも深く切り込まれる。このようにすることによって、図４に示すように、板体３の前側下方に蹴込み空間６が形成され、前桟４につま先が当たることなく、使い勝手よく調理の立ち仕事をすることができる。
【００１４】
なお、上記前桟４と後桟５との間にさらに中間の桟を設けてもよく、また、キャスタを付設して底板部Ｂが床面を容易にスライド移動できるようにしてもよい。さらに、収納した調理用品等を目隠しするように扉部を着脱自在に設けてもよい。このように、本発明は種々設計変更可能であり、特許請求の範囲を逸脱しない限り本発明の技術的範囲に含まれる。
【図面の簡単な説明】
【００１５】
【図１】本発明のキッチンユニットの構成を示す斜視図である。
【図２】車いすに乗って調理作業を行う際の本発明のキッチンユニットを示す斜視図である。
【図３】健常者が調理作業を行うときの本発明のキッチンユニットを示す斜視図である。
【図４】図３におけるＸ−Ｘ線に沿う断面図である。
【符号の説明】
【００１６】
Ａ          調理台
Ｂ          底板部
１          側板部
１１        切欠き部
２          カウンター
３          板体
４          前桟
４１        係止部
５          後桟
６          蹴込み空間
７          調理機器
８          シンク
９          背板
【図１】
0004661671.tif 000002
【図２】
0004661671.tif 000003
【図３】
0004661671.tif 000004
【図４】
0004661671.tif 000005